(57)【要約】【課題】  コスト低減化及び小型軽量化を図ることができるキー操作による駆動装置を得る。【解決手段】  キーが抜き差し方向へスライド可能な縦溝部、該縦溝部と交差する方向に延びる横凸部及び横凹部が内面の一部に形成されると共に、該横凸部及び横凹部に略対向する面に開口部３４を設けてなるキーガイドブロック体３０と、キーガイドブロック体３０の内面側に、キー回動軸まわりに回動可能に支持され、キーの凸部側面に当接する当接面２６，２７が設けられた操作体２０とを備え、キーの回動により、該キーの凸部側面が当接面２６，２７を押して操作体２０を回動させ、操作体２０の回動による駆動力を前記開口部３４から取り出し、該駆動力により被駆動体４０，５０を駆動する。構成要素としてシリンダー錠を用いない、部品点数が少ないと共に成形加工が可能な簡素な構成とした。【選択図】        図２
2006257810.tif 000002
【特許請求の範囲】
【請求項１】
凹凸形状が形成されたキーが抜き差し方向へスライド可能な縦溝部、並びに、該縦溝部と交差する方向に延び、該キーの回動動作と干渉しないように前記凹凸形状に合わせた形状の横凹凸部が内面の一部に形成されると共に、該縦溝部及び横凹凸部に略対向する面に開口部を設けてなるキーガイドブロック体と、
該キーガイドブロック体の内面側に、キー回動軸まわりに回動可能に支持され、前記キーにより回動する操作体とを備え、
該操作体の回動による駆動力を前記キーガイドブロック体の開口部から取り出し、該駆動力により被駆動体を駆動することを特徴とするキー操作による駆動装置。
【請求項２】
前記操作体に、前記凹凸形状が形成されたキーが回動すると該キーの凸部側面に当接する当接面を設け、
該当接面と該凸部側面とが当接しない状態では、該操作体と該キーとは相対的に回動可能なものであり、
該キーの回動により、該凸部側面が該当接面を押して該操作体を回動させる請求項１記載のキー操作による駆動装置。
【請求項３】
前記操作体に、前記キーの回動半径方向に延びると共に前記キーガイドブロック体の開口部から該半径方向に突出する駆動凸部を設け、
前記操作体の回動に伴う該駆動凸部の回動により、該駆動凸部に係合する係合孔又は係合凹部を有する被駆動体を駆動してなる請求項２記載のキー操作による駆動装置。
【発明の詳細な説明】
【技術分野】
【０００１】
本発明は、例えば引き違い戸を建て付けた窓サッシの補助錠等に用いられるキー操作による駆動装置に関するものである。
【背景技術】
【０００２】
従来のキー操作による駆動装置の例として、例えば引き違い戸を建て付けた窓サッシの補助錠において、障子の横框内に取り付けられるケースと、そのケースに設けられ、キーにより回されるシリンダー錠と、該シリンダー錠の背面から突出する偏心突起が係合する長孔が設けられたスライダーと、前記ケース内に垂直軸回りに回動自在に設けられ、前記ケースから屋内側に突出する施錠位置と前記ケース内に没入する解錠位置との間を出没するストッパーと、該ストッパーを解錠位置に向けて付勢する付勢部材とを備え、前記キー操作により前記シリンダー錠の偏心突起を所定方向に回すと、往動される前記スライダーにより前記ストッパーがその背面を押されて前記ケースから突出するようにしたものがある（例えば、特許文献１参照）。
【０００３】
【特許文献１】特開２００４−３６０３１２号公報（図１−４）
【発明の開示】
【発明が解決しようとする課題】
【０００４】
以上のような従来のキー操作による駆動装置は、窓サッシの外部からの侵入者により施錠状態の補助錠が屋外側から容易に解錠操作されてしまうという課題、及び、幼児等の悪戯により補助錠が屋内側から容易に施解錠操作されてしまうという課題を解決するものである。しかし、構成要素としてシリンダー錠を用いているため、シリンダー錠を含むキー操作による駆動装置の構成が複雑になること及びシリンダー錠を製造又は購入する必要があることから、キー操作による駆動装置の製造コストが嵩むという問題点がある。また、小型軽量化を図り難いという問題点もある。
【０００５】
本発明は、前記のような問題点を解決するためになされたものであり、コスト低減化及び小型軽量化を図ることができるキー操作による駆動装置を得ることを目的とする。
【課題を解決するための手段】
【０００６】
本発明に係るキー操作による駆動装置は、凹凸形状が形成されたキーが抜き差し方向へスライド可能な縦溝部、並びに、該縦溝部と交差する方向に延び、該キーの回動動作と干渉しないように前記凹凸形状に合わせた形状の横凹凸部が内面の一部に形成されると共に、該縦溝部及び横凹凸部に略対向する面に開口部を設けてなるキーガイドブロック体と、該キーガイドブロック体の内面側に、キー回動軸まわりに回動可能に支持され、前記キーにより回動する操作体とを備え、該操作体の回動による駆動力を前記キーガイドブロック体の開口部から取り出し、該駆動力により被駆動体を駆動するものである。
【０００７】
ここで、前記操作体に、前記凹凸形状が形成されたキーが回動すると該キーの凸部側面に当接する当接面を設け、該当接面と該凸部側面とが当接しない状態では、該操作体と該キーとは相対的に回動可能なものであり、該キーの回動により、該凸部側面が該当接面を押して該操作体を回動させると好ましい。
【０００８】
また、前記操作体に、前記キーの回動半径方向に延びると共に前記キーガイドブロック体の開口部から該半径方向に突出する駆動凸部を設け、前記操作体の回動に伴う該駆動凸部の回動により、該駆動凸部に係合する係合孔又は係合凹部を有する被駆動体を駆動してなると好ましい。
【発明の効果】
【０００９】
本発明に係るキー操作による駆動装置によれば、凹凸形状が形成されたキーが抜き差し方向へスライド可能な縦溝部、並びに、該縦溝部と交差する方向に延び、該キーの回動動作と干渉しないように前記凹凸形状に合わせた形状の横凹凸部が内面の一部に形成されると共に、該縦溝部及び横凹凸部に略対向する面に開口部を設けてなるキーガイドブロック体と、該キーガイドブロック体の内面側に、キー回動軸まわりに回動可能に支持され、前記キーにより回動する操作体とを備え、該操作体の回動による駆動力を前記キーガイドブロック体の開口部から取り出し、該駆動力により被駆動体を駆動するので、構成要素としてシリンダー錠を用いない、部品点数が少ないと共に成形加工が可能な簡素な構成からなるので、コスト低減化及び小型軽量化を図ることができる。
【００１０】
また、前記操作体に、前記凹凸形状が形成されたキーが回動すると該キーの凸部側面に当接する当接面を設け、該当接面と該凸部側面とが当接しない状態では、該操作体と該キーとは相対的に回動可能なものであり、該キーの回動により、該凸部側面が該当接面を押して該操作体を回動させると、振動等により前記操作体が回動した状態でもキーを鍵穴に差し込むことが容易となるため、操作性及び実用性が向上する。
【００１１】
さらに、前記操作体に、前記キーの回動半径方向に延びると共に前記キーガイドブロック体の開口部から該半径方向に突出する駆動凸部を設け、前記操作体の回動に伴う該駆動凸部の回動により、該駆動凸部に係合する係合孔又は係合凹部を有する被駆動体を駆動してなると、より構成が簡素となるため、さらにコスト低減化及び小型軽量化を図ることができる。
【発明を実施するための最良の形態】
【００１２】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、屋外側から屋内側へ向かう方向の前側を前、後側を後とし、前方に向かって左右を左右とする。また、屋外側から見た図を正面図とする。
【００１３】
図１〜図８は、本発明の実施の形態に係るキー操作による駆動装置を引き違い戸の補助錠に適用した例を示す説明図である。図１は屋内側から見た斜視図、図２は補助錠の横断平面図であり、図２（ａ）は補助錠の解錠状態、図２（ｂ）は補助錠の施錠状態を示している。また、図３はキーの回動中心軸を含む前後方向の垂直面で切断して示した補助錠の縦断左側面図であり、図３（ａ）はキーを抜いた状態を、図３（ｂ）はキーを差した状態を示している。さらに、図４は屋外側から見た補助錠の分解斜視図、図５は、ケースの一部を切断して示した、屋外側から見たケース、キーガイドブロック体及び操作体の分解斜視図、図６はキーガイドブロック体の構造を示す図であり、図６（ａ）は正面図（屋外側から見た図）、図６（ｂ）は背面図、図６（ｃ）は底面図、図６（ｄ）は図６（ｂ）のＡ−Ａ断面図、図６（ｅ）は底面側から見た斜視図である。さらにまた、図７は操作体の構造を示す屋内側から見た斜視図、図８はキーガイドブロック体に操作体が係合した状態を示す背面図（屋内側から見た図）である。
【００１４】
図１に示すように、窓サッシＳの外障子１０１及び内障子１０２は、下枠１０３の下レール１０３ａ及び１０３ｂ並びに図示しない上枠の上レールに沿って左右方向に交錯可能にスライドすることができる引き違い戸を構成している。また、換気用の補助錠１は、外障子１０１の下框１０４に、召合せ框１０５から図示しない戸当たり框方向に所定距離離れた位置に取り付けられる。該補助錠１のストッパー５０は、後述するように、鍵穴１４からキー７０を挿入して該キー７０を回動させることにより、外障子１０１の下框１０４から屋内側（前側）へ突出し、内障子１０２の召合せ框１０６の右側面に当接して、内障子１０２の外障子１０１と交錯する右方向への移動が規制される状態（施錠状態）と、ケース１０内に没入して内障子１０２の外障子１０１と交錯する右方向への移動が規制されない状態（解錠状態）とを容易に切り替えることができる。
【００１５】
図１及び図２に示すように、補助錠１のケース１０は、外障子１０１の下框１０４に設けた孔に嵌合部１０ｂを嵌合させ、左右の取付部１０ａ，１０ａの通孔１１，１１を用いて該下框１０４に取り付けられる。また、図２及び図５に示すように、ケース１０の屋内側（前側）には、ストッパー５０が出没するストッパー出没孔１０ｃが形成されている。そして、図４に示すように、ケース１０の屋外側には、キーガイドブロック体３０を収容するキーガイドブロック体収容部１２及びストッパー５０を収容するストッパー収容部１３が形成されている。
【００１６】
図２ないし図４に示すように、操作体２０の後方へ突出する軸２１は、キーガイドブロック体３０の後壁に形成された軸受孔３１に嵌入され、操作体２０の軸２１の前側のフランジ２３は、キーガイドブロック体３０の後壁前面に形成された段部３２（図６も参照。）に内嵌される。したがって、操作体２０は、キーガイドブロック体３０の内面側に、キー回動軸まわりに回動可能に支持される。また、操作体２０の前部の係合凸部２２は、ケース１０のキーガイドブロック体収容部１２の前側に位置する前面板後面に形成された係合凹部１５と係合するため、操作体２０は、キー回動軸まわりに安定かつ確実に回動する。
【００１７】
図３（ｂ）、図４及び図７に示すように、キー７０には、先端凸部７１が形成されていると共に、先端側から凸部７０ａ、凹部７０ｂ及び凸部７０ｃの凹凸形状が形成されている。なお、キー７０の凹凸形状は、凹凸形状７０ａ〜７０ｃのような形状に限定されるものではない。また、図３及び図６に示すように、キーガイドブロック体３０には、その上壁下面に、ケース１０の屋内側（前側）に形成された鍵穴１４から挿入されたキー７０が抜き差し方向（前後方向）へスライド可能な縦溝部３３、並びに、該縦溝部３３と交差する方向に延び、キー７０の回動動作と干渉しないようにキー７０の凹凸形状に合わせた形状の横凸部３０ｂ及び横凹部３０ａ，３０ｃが形成されている。
【００１８】
すなわち、図３（ｂ）に示すように、キー７０の凸部７０ａはキーガイドブロック体３０の横凹部３０ａと係合し、キー７０の凹部部７０ｂはキーガイドブロック体３０の横凸部３０ｂと係合し、キー７０の凸部７０ｃはキーガイドブロック体３０の横凹部３０ｃと係合する。また、キー７０の先端凸部７１は、操作体２０の前記フランジ２３の前側に形成されたキー先端支持凹部２８に係合する（図７も参照。）。したがって、キー７０は、図３（ｂ）のようにキーを差した状態において、キー回動軸まわりに安定かつ確実に回動する。
【００１９】
図６及び図８に示すように、キーガイドブロック体３０は、主に、上壁、左右側壁及び後壁からなり、縦溝部３３並びに横凸部３０ｂ及び横凹部３０ａ，３０ｃに略対向する面（下側）に開口部３４が設けられている。また、操作体２０には、キー７０の回動半径方向に延びると共にキーガイドブロック体３０の開口部３４から該半径方向（下側）に突出する駆動凸部２５が設けられている。さらに、操作体２０の左右には、キー７０が回動すると該キー７０の凸部７０ａ，７０ｃの側面に当接する当接面２６，２７が設けられている。そして、該当接面２６，２７と該凸部７０ａ，７０ｃの側面とが当接しない状態では、操作体２０とキー７０とは相対的に回動可能となっている。
【００２０】
すなわち、操作体２０のキーガイド面２４は、キー７０の側端縁７２をガイドすると共に、キー７０と操作体２０とが相対的に回動しても当該回動を阻害しないような円筒内面状となっている。したがって、例えば、振動等により操作体２０がキーガイドブロック３０に対して回動した状態であっても、該操作体２０の位置によらずに、キー７０を鍵穴１４から挿入して、キーガイドブロック３０の縦溝部３３に沿って容易に差し込むことが可能となっている。したがって、操作性及び実用性を向上することができる。
【００２１】
また、前記のとおり、操作体２０の左右には当接面２６，２７が設けられているため、キー７０を回動させて該キー７０の凸部７０ａ，７０ｃの側面を介して該当接面２６，２７を押すことにより、操作体２０を容易に回動させることができる。そして、該操作体２０の駆動凸部２５はキーガイドブロック体３０の開口部３４から突出しているため、キー７０を操作することによる駆動力を駆動凸部２５から容易に被駆動体に伝達することができる。なお、ケース１０のキーガイドブロック体収容部１２の下部には、キーガイドブロック体３０の開口部３４から突出する駆動凸部２５の回動と干渉しないように凹部１６が形成されている。
【００２２】
次に、図２及び図４を参照して、本発明のキー操作による駆動装置の駆動力を取り出して被駆動体であるストッパー５０を出没させる構成について説明する。まず、前記駆動凸部２５の回動による駆動力は、第１の被駆動体であるスライダー４０に伝達される。該スライダー４０は、ケース１０のキーガイドブロック体収容部１２及びストッパー収容部１３の下部間に渡り、該ケース１０内において左右方向にスライド可能な水平板状体であり、その左端側の係合孔４１に前記操作体２０の駆動凸部２５が係合する。なお、係合孔４１はスライダー４０の板厚によっては係合凹部としてもよい。そして、該スライダー４１の右端側には、ストッパー軸係合孔４２が形成されている。該ストッパー軸係合孔４２は、右方へ行くに従って前方へ傾斜する傾斜長孔部４３、左右端部の左右方向孔部４４及び４５からなる。
【００２３】
第２の被駆動体であるストッパー５０は、ケース１０のストッパー収容部１３内に収容され、該収容部１３の右端部上下の通孔１８，１９及びストッパー５０の右端部の通孔５１に挿通されるストッパー支軸５７まわりに回動可能に支持される。ストッパー５０には、該ストッパー５０が屋内側（前側）へ突出した状態で、前記内障子１０２の召合せ框１０６の右側面に当接する停止部５２、ケース１０のストッパー出没孔１０ｃの上側後面に当接してストッパー５０の前方への突出を所定位置で規制するストッパー位置規制用当接面５３及びばね挿入凹部５４が形成されていると共に、その下面に形成された孔にはストッパー軸５５が嵌入されて該下面から突出している。
【００２４】
また、蓋６０は、前面を開放した断面略コ字状のものであり、蓋６０の左端部上下の切欠き６４，６４を、ケース１０の嵌合部１０ｂの左端部の上下面に形成された凸部１７，１７に係合させて、ケース１０の嵌合部１０ｂを覆うと共に、右端部上下の通孔６２，６３を前記ストッパー支軸５７の中空部に合わせた状態で、蓋固定ピン６５を通孔６２、ストッパー支軸５７の中空部及び通孔６３に挿通させることにより固定される。また、蓋６０の前面にはばね支持用凸部６１が形成されており、該ばね支持用凸部６１と前記ストッパー５０のばね挿入凹部５４との間に圧縮コイルばね５６が装着される。したがって、ストッパー５０には、屋内側（前側）へ突出する方向に付勢力が作用する。
【００２５】
このように圧縮コイルばね５６により屋内側（前側）へ突出する方向の付勢力がストッパー５０に作用しているが、図２（ａ）のストッパー５０がケース１０内に没入している解錠状態においては、該ストッパー５０のストッパー軸５５がスライダー４０のストッパー軸係合孔４２の右端部の左右方向孔部４５内にあるため、ストッパー５０が屋内側（前側）へ突出することはない。
【００２６】
図２（ａ）において、ケース１０の鍵穴１４からキー７０を差し込んで図中矢印Ａ方向に回動させると、前記のとおり該キー７０の凸部７０ａ，７０ｃの側面により操作体２０の左側の当接面２６が押され（図７及び図８も参照。）、下部の駆動凸部２５が回動し右方へ移動する。したがって、図２（ｂ）のように、該駆動凸部２５の駆動力により第１の被駆動体であるスライダー４０が右方へ移動する。そうすると、ストッパー５０のストッパー軸５５がスライダー４０のストッパー軸係合孔４２の傾斜長孔部４３に沿って移動するため、該スラーダー４０の移動に連動して、第２の被駆動体であるストッパー５０は、ストッパー支軸５７まわりに回動し、屋内側（前側）へ突出する。この状態では、ストッパー５０には圧縮コイルばね５６により屋内側（前側）へ突出する方向の付勢力が作用していると共に、該ストッパー５０のストッパー軸５５がスライダー４０のストッパー軸係合孔４２の左端部の左右方向孔部４４内にあるため、ストッパー５０は、キー７０を抜いても該突出状態でロックされる。
【００２７】
また、図２（ｂ）のストッパー５０が屋内側（前側）へ突出している施錠状態において、ケース１０の鍵穴１４からキー７０を差し込んで図中矢印Ｂ方向に回動させると、前記のとおり該キー７０の凸部７０ａ，７０ｃの側面により操作体２０の右側の当接面２７が押され（図７及び図８も参照。）、下部の駆動凸部２５が回動し左方へ移動する。したがって、図２（ａ）のように、該駆動凸部２５の駆動力により第１の被駆動体であるスライダー４０が左方へ移動し、該スライダー４０に連動する第２の被駆動体であるストッパー５０がケース１０内に没入する。
【００２８】
以上のような簡素な構成からなるキー操作による駆動装置によれば、例えば円筒の中にスプリング付きのピンを数本並べ、そのきざみに合った鍵を入れて回転させることにより施解錠する構成の比較的高価なシリンダー錠を用いる必要がない。また、キーガイドブロック体３０が、主に、上壁、左右側壁及び後壁からなり、上壁下面に形成された縦溝部３３並びに横凸部３０ｂ及び横凹部３０ａ，３０ｃに略対向する面（下側）に開口部３４が設けられているため、例えば金型により成形加工可能な形状となっている。したがって、例えばポリカーボネート、ポリアセタール、ポリプロピレン、ポリエチレンテレフタレート又はＡＢＳ等の合成樹脂の射出成形により製作することができる。さらに、該キーガイドブロック体３０に回動可能に支持される操作体も、軸２１及び係合凹部２２並びに駆動凸部２５及び当接面２６，２７等からなる成形加工可能な形状であるため、例えば合成樹脂の射出成形により製作することができる。このように、シリンダー錠を用いる必要がないこと、量産化に適すると共に部品点数が少ないことから、コスト低減化及び小型軽量化を図ることができる。
【００２９】
なお、ケース１０及びストッパー５０も合成樹脂の射出成形により製作することができる。また、スライダー４０及び蓋６０はステンレス鋼等の金属のプレス成形により製作することができる。したがって、前記キー操作による駆動装置を構成するキーガイドブロック体３０及び操作体２０の量産化に適すると共に部品点数が少ない簡素な構成と合わせて、本発明のキー操作による駆動装置を適用した補助錠１全体としても、よりコスト低減化及び小型軽量化を図ることができる。
【００３０】
以上の説明においては、キーガイドブロック体３０の開口部３４が下側に形成されている場合について説明したが、補助錠１の上下を反対として、例えば、キーガイドブロック体３０を、下壁、左右側壁及び後壁からなる形状とし、開口部３４を上側として、スライダー４０を、ケース１０のキーガイドブロック体収容部１２及びストッパー収容部１３の上部間に渡らせてもよい。この場合は、キーガイドブロック体３０の上側の開口部３４から上方に突出する操作体２０の駆動凸部２５によりケース１０内の上部のスライダー４０が駆動される。
【図面の簡単な説明】
【００３１】
【図１】本発明の実施の形態に係るキー操作による駆動装置を引き違い戸の補助錠に適用した例を示す屋内側から見た斜視図である。
【図２】補助錠の横断平面図であり、（ａ）は解錠状態、（ｂ）は施錠状態を示している。
【図３】キーの回動中心軸を含む前後方向の垂直面で切断して示した補助錠の縦断左側面図であり、（ａ）はキーを抜いた状態を、（ｂ）はキーを差した状態を示している。
【図４】屋外側から見た補助錠の分解斜視図である。
【図５】ケースの一部を切断して示した、屋外側から見たケース、キーガイドブロック体及び操作体の分解斜視図である。
【図６】キーガイドブロック体の構造を示す図であり、（ａ）は正面図、（ｂ）は背面図、（ｃ）は底面図、（ｄ）は（ｂ）のＡ−Ａ断面図、（ｅ）は底面側から見た斜視図である。
【図７】操作体の構造を示す屋内側から見た斜視図である。
【図８】キーガイドブロック体に操作体が係合した状態を示す背面図である。
【符号の説明】
【００３２】
１  補助錠
１０  ケース
１４  鍵孔
２０  操作体
２１  軸
２２  係合凸部
２３  フランジ
２４  キーガイド面
２５  駆動凸部
２６  当接面
２７  当接面
２８  キー先端支持凹部
３０  キーガイドブロック体
３０ａ  横凹部
３０ｂ  横凸部
３０ｃ  横凹部
３１  軸受孔
３２  段部
３３  縦溝部
３４  開口部
４０  スライダー（第１の被駆動体）
４１  係合孔
４２  ストッパー軸係合孔
５０  ストッパー（第２の被駆動体）
５５  ストッパー軸
５７  ストッパー支軸
６０  蓋
６５  蓋固定ピン
７０  キー
７０ａ  凸部
７０ｂ  凹部
７０ｃ  凸部
【図１】
2006257810.tif 000003
【図２】
2006257810.tif 000004
【図３】
2006257810.tif 000005
【図４】
2006257810.tif 000006
【図５】
2006257810.tif 000007
【図６】
2006257810.tif 000008
【図７】
2006257810.tif 000009
【図８】
2006257810.tif 000010